(57)【要約】【課題】カラー表示エリアの境界部分における表示のぼやけを無くして、境界を明瞭化した情報表示用パネルを提案する。【解決手段】少なくとも一方が透明な対向する２枚の基板１、２間に、隔壁４によって仕切られた複数のセルを形成すると共に、予め設定した表示エリア２２ＲＷ、２２ＢＷに応じて前記セルに異なる表示色の表示媒体を構成するカラー粒子２２Ｗ、２２Ｂ、２２Ｒを封入して、画像等の情報をカラー表示する情報表示用パネルにおいて、異なるカラー表示の境界部２３に位置する前記隔壁を、他に位置する隔壁よりも幅広く形成してある。【選択図】図４
2010096912.tif 000002
【特許請求の範囲】
【請求項１】
少なくとも一方が透明な対向する２枚の基板間に、隔壁によって仕切られた複数のセルを形成すると共に、予め設定した表示エリアに応じて前記セルに異なる表示色の表示媒体を構成するカラー粒子を封入して、画像等の情報をカラー表示する情報表示用パネルにおいて、
異なるカラー表示の境界部に位置する前記隔壁を、他に位置する隔壁よりも幅広く形成してある、ことを特徴とする情報表示用パネル。
【請求項２】
表示色Ａ、Ｂ、Ｃの３種類のカラー粒子を用い、２枚の基板間に隔壁により形成されたセル内に表示色Ａの粒子を含んだ粒子群および表示色Ｃの粒子を含んだ粒子群を封入して表示色ＡまたはＣの表示を行うエリアＡＣと、セル内に表示色Ｂの粒子を含んだ粒子群および表示色Ｃの粒子を含んだ粒子群を封入して表示色ＢまたはＣの表示を行うエリアＢＣとを備え、
前記エリアＡＣと前記エリアＢＣとの境界部に位置する前記隔壁を、他に位置する隔壁より幅広く形成してある、ことを特徴とする請求項１に記載の情報表示用パネル。
【請求項３】
前記境界部に位置する前記隔壁の幅を画素電極幅以上とし、前記画素電極幅の両側にある画素電極間スペース部分まで画素電極を跨ぐように構成した、ことを特徴とする請求項１又は２に記載の情報表示用パネル。
【請求項４】
請求項１から３のいずれかに記載の情報表示用パネルの製造方法であって、
カラー表示の境界部に位置する前記隔壁をフォトリソグラフィ技術で予め幅広に形成した後、表示エリアに応じて前記セルに異なる表示色の表示媒体を構成するカラー粒子を封入する、ことを特徴とする情報表示用パネルの製造方法。
【請求項５】
請求項１から３のいずれかに記載の情報表示用パネルの製造方法であって、
表示エリアに応じて前記セルに異なる表示色の表示媒体を構成するカラー粒子を封入する前あるいは後に、カラー表示の境界部に位置する前記セルを充填材で埋込んで前記隔壁を幅広に形成する、ことを特徴とする情報表示用パネルの製造方法。
【発明の詳細な説明】
【技術分野】
【０００１】
本発明は、少なくとも一方が透明な対向する２枚の基板間に、異なる表示色の表示媒体を構成するカラー粒子を封入し、表示画面のエリアによって表示色を変化させた画像等の情報をカラー表示する情報表示用パネルおよびその製造方法に関するものである。
【背景技術】
【０００２】
従来、少なくとも一方が透明な対向する２枚の基板間に、異なる表示色の表示媒体を構成するカラー粒子を封入し、表示画面のエリアによって表示色を変化させた画像等の情報をカラー表示する情報表示用パネルが知られている（例えば、特許文献１参照）。この種のエリアカラー表示を行う情報表示用パネルでは、基板間に、通常は基板間の隔壁により形成されたセル内に、異なる表示色の表示媒体を構成するカラー粒子を例えば３種類以上封入する必要がある。以下、一例として、図７（ａ）〜（ｄ）に、赤色、黒色、白色のカラー粒子群を充填する従来の粒子充填方法を説明する。
【０００３】
図７（ａ）〜（ｄ）に示す例においては、基板５１上に隔壁５２により形成したセル５３内に、所定の組み合わせで赤色粒子群５４Ｒ、黒色粒子群５４Ｂ、白色粒子群５４Ｗを充填した例を示している。ここでは、赤白表示を行うエリアを赤白表示エリア５４ＲＷとし、黒白表示を行うエリアを黒白表示エリア５４ＢＷとしている。
【０００４】
まず、図７（ａ）に示すように、基板５１の隔壁５２上において、赤白表示エリア５４ＲＷに対応した開口部５６ａを有するマスク５６をセットする。そして、その状態で、従来から公知の散布法などにより赤色粒子群５４Ｒを開口部５６ａを介してセル５３内に充填する。次に、図７（ｂ）に示すように、基板５１の隔壁５２上において、黒白表示エリア５５ＢＷに対応した開口部５６ａを有するマスク５６をセットする。そして、その状態で、黒色粒子群５４Ｂを開口部５６ａを介してセル５３内に充填する。次に、図７（ｃ）に示すように、基板５１の隔壁５２上において、赤白表示エリア５５ＲＷおよび黒白表示エリア５５ＢＷに対応した開口部５６ａを有するマスク５６をセットする。そして、その状態で、白色粒子群５４Ｗを開口部５６ａを介してセル５３内に充填する。その後、隔壁５２上に接着剤を介して対向基板５７を貼り合わせることで、図７（ｄ）に示すように、情報表示用パネル５８を得ている。
【０００５】
【特許文献１】特開２００８−５８４７４号公報
【発明の開示】
【発明が解決しようとする課題】
【０００６】
上述した従来の粒子の充填方法では、マスク５６と隔壁５２で形成されたセル５３との位置合わせが非常に重要になるが、マスク精度、アライメント精度が不足しているという問題により、隔壁５２で仕切られたセル５３ごとに所定色の粒子群を封入し分けることが困難である場合があった。その結果として、図８（ａ）に示すように、赤色粒子群５４Ｒと黒色粒子群５４Ｂとが混在する部分が発生したり、図８（ｂ）に示すように、赤色粒子群５４Ｒおよび黒色粒子群５４Ｂの両方とも存在しない部分が発生し、情報表示用パネルとして表示を行った場合、上述した赤色粒子群５４Ｒと黒色粒子群５４Ｂとが混在する部分および両方の粒子群が存在しない部分において、赤白表示エリア５５ＲＷと黒白表示エリア５５ＢＷとの境界部をぼやけさせて不明瞭になるという問題があった。
【０００７】
本発明の目的は、上述した問題点を解消して、エリアカラー表示を行う情報表示用パネルにおいて表示エリアの境界部分における表示のぼやけを無くして、明瞭化した情報表示用パネルおよびその製造方法を提供しようとするものである。
【課題を解決するための手段】
【０００８】
上記目的は、少なくとも一方が透明な対向する２枚の基板間に、隔壁によって仕切られた複数のセルを形成すると共に、予め設定した表示エリアに応じて前記セルに異なる表示色の表示媒体を構成するカラー粒子を封入して、画像等の情報をカラー表示する情報表示用パネルにおいて、異なるカラー表示の境界部に位置する前記隔壁を、他に位置する隔壁よりも幅広く形成してあることを特徴とする情報表示用パネルによって達成できる。
【０００９】
また、表示色Ａ、Ｂ、Ｃの３種類のカラー粒子を用い、２枚の基板間に隔壁により形成されたセル内に表示色Ａの粒子を含んだ粒子群および表示色Ｃの粒子を含んだ粒子群を封入して表示色ＡまたはＣの表示を行うエリアＡＣと、セル内に表示色Ｂの粒子を含んだ粒子群および表示色Ｃの粒子を含んだ粒子群を封入して表示色ＢまたはＣの表示を行うエリアＢＣとを備え、前記エリアＡＣと前記エリアＢＣとの境界部に位置する前記隔壁を、他に位置する隔壁より幅広く形成してもよい。
【００１０】
また、前記境界部に位置する前記隔壁の幅を画素電極幅以上とし、前記画素電極幅の両側にある画素電極間スペース部分まで画素電極を跨ぐように構成してもよい。
【００１１】
そして、上記情報表示用パネルは、カラー表示の境界部に位置する前記隔壁をフォトリソグラフィ技術で予め幅広に形成した後、表示エリアに応じて前記セルに異なる表示色の表示媒体を構成するカラー粒子を封入することにより、また表示エリアに応じて前記セルに異なる表示色の表示媒体を構成するカラー粒子を封入する前あるいは後に、カラー表示の境界部に位置する前記セルを充填材で埋込んで前記隔壁を幅広に形成することにより、製造するようにしてもよい。
【発明の効果】
【００１２】
本発明によれば、異なるカラー表示エリアの境界部に位置する隔壁を他の部分よりも幅広く設けたことで、エリアカラー表示を行う情報表示用パネルにおいて表示エリアの境界部分における表示のぼやけを無くして、異なる色の境界を明確化した情報表示用パネルを得ることができる。
【発明を実施するための最良の形態】
【００１３】
以下、本発明に係る一実施形態の情報表示用パネルを、図面に基づき詳細に説明する。
＜本発明の情報表示用パネルの一例となる帯電粒子移動方式の情報表示用パネルの基本的な構成について＞
本発明の理解を容易とするため、帯電性粒子を含んだ粒子群として構成した表示媒体を採用し、この表示媒体を移動して文字、画像等の情報を表示する情報表示用パネルの概略構成を説明する。この情報表示用パネルは、対向する２枚の基板間の空間に封入した帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が均一に移動し、かつ、繰り返し表示情報を書き換える時、或いは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１４】
本発明の対象となる情報表示用パネルの例を、図１（ａ）、（ｂ）、図２（ａ）、（ｂ）を参照して説明する。
図１（ａ）、（ｂ）に示す例は、少なくとも光学的反射率および帯電性を有する粒子を含んだ粒子群として構成される互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ付き画素電極）と透明な基板２に設けた透明電極６（共通電極）とで形成する電極対の間に電圧を印加することにより発生する電界に応じて、基板１、２と垂直に移動させる。そして、図１（ａ）に示すように白色表示媒体３Ｗを観察者に視認させて白色ドット表示、あるいは、図１（ｂ）に示すように黒色表示媒体３Ｂを観察者に視認させて黒色ドット表示をすることができる。なお、図１（ａ）、（ｂ）においては、手前にある隔壁は省略している。各電極５、６は、基板１、２の内側に設ける。
【００１５】
また、図２（ａ）、（ｂ）に示す例では、少なくとも光学的反射率および帯電性を有する粒子を含んだ粒子群として構成される互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ライン電極）と透明な基板２に設けた透明電極６（ライン電極）とが対向直交交差に形成する画素電極対の間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。各電極５、６は、基板１、２の内側に設ける。
【００１６】
＜本発明の情報表示用パネルおよびその製造方法の特徴について＞
更に、図３、図４、および図５を参照して、本発明の一実施形態に係る３種類のカラー粒子による情報表示用パネルおよびその製造方法の特徴について説明する。なお、図３、図４、および図５に示す例においては、先に示した図１及び図２に示す部材と同一の部材には同一の符号を付して、説明を省する。また、以下の実施例において、２２Ｗは白色粒子群、２２Ｂは黒色粒子群、２２Ｒは赤色粒子群を示し、赤白表示エリア２２ＲＷ内のセルには白色粒子群２２Ｗと赤色粒子群２２Ｒとが充填され、黒白表示エリア２２ＢＷ内のセルには白色粒子群２２Ｗと黒色粒子群２２Ｂとが充填されている。
【００１７】
図３は情報表示用パネルの一例の構成を説明するための図である。図３に示す例において、本発明の情報表示用パネル２１は、基本的には図１及び図２に示す構造の情報表示用パネルから構成され、「アイウ」の文字を赤白表示で行う赤白表示エリア２２ＲＷと、「ＡＢＣ１２３」の文字を黒白表示で行う黒白表示エリア２２ＢＷとから構成され、赤白表示エリア２２ＲＷと黒白表示エリア２２ＢＷとの境界部２３が設けられている。この境界部２３は前述した隔壁を他の部分より幅広に形成したものである。
なお、境界部２３の幅２３Ｗについては特に限定しないが隔壁を形成する際に使用するマスクの公差（誤差）に対応して幅広に形成する。例えば、２枚の基板間に隔壁により形成されたセルの幅の１〜５個分に対応する幅であることが好ましい。ここで、境界部２３の幅２３Ｗが、セルの幅の１個分未満であると境界を明確にする効果が弱く、その一方でセルの幅の５個分を超えると境界部２３が強調され過ぎの傾向がある。
【００１８】
境界部２３の形成方法は、観察側から見たときに、境界部２３が赤白表示エリア２２ＲＷと黒白表示エリア２２ＢＷとの境界部をマスクするような位置に見えるよう形成することができればどのような方法でもよいが、例えば、以下に述べる製造方法を好適に採用することができる。
【００１９】
図４は、フォトリソグラフィ技術で境界部２３に位置する隔壁を予め幅広に形成する場合について示した図である。フォトリソグラフィ（Photolithography）とは、感光性の物質を塗布した物質の表面を、パターン状に露光（パターン露光、像様露光などとも言う）することで、露光された部分と露光されていない部分からなるパターンを生成する技術であり半導体素子製造などで広く採用されている。本発明に係る情報表示用パネルの製造工程でも、このフォトリソグラフィ技術を用いて隔壁を好適に製造できる。よって、フォトリソグラフィ技術で隔壁を形成するときに、図４で示すように、予め設定されている表示エリアの境界部に位置する隔壁４ＷＤを幅広にすれば製造後の情報表示用パネルにおいて境界部２３となる。
【００２０】
図４で示した例は境界部の隔壁４ＷＤを予め幅広く形成し、その後に表示エリアに応じてセルに異なる表示色の表示媒体を構成するカラー粒子を封入して情報表示用パネルを製造している。幅広の隔壁を形成するための製造方法は、このように予め幅広に設計する場合に限らない。
図５はセルに異なる表示色の表示媒体を構成するカラー粒子を封入する前あるいは後に、境界部２３に位置するセルを充填材ＦＭで埋込んで、隔壁と充填材ＦＭが一体となった幅広の隔壁を形成する場合を示した図である。このように充填材ＦＭによりセルを埋め込むことで、混色が発生し易い領域を埋め込み処理してカラー表示の境界部とすることができる。ここで採用する充填材としては、セル内に封入されたカラー粒子の色を消す遮蔽性を備えた材料を選択する必要がある。例えば、充填材ＦＭに黒色粒子などを混合した着色樹脂でセル内を充填して黒い境界線となるようにしてもよい。さらに、カラー表示で用いていない色（ここでは、例えば青色）を境界部に設定すると、境界をより明瞭化できる。このように、図５で示す場合も製造後の情報表示用パネルに明確な境界部２３を設定できる。
【００２１】
なお、図６は表示エリアの境界に位置する境界部２３の隔壁４ＷＤと、画素電極（ここでは電極５）との関係を例示した図である。このように、境界部２３に位置する隔壁４ＷＤの幅を画素電極５の幅以上とし、画素電極幅の両側にある画素電極間スペース部分ＳＰまで画素電極を跨ぐように構成してもよい。
このように構成すれば、粒子をセル内に充填する際に隔壁上に載せるマスクのマスク部と隔壁頂上との接触部分が十分に確保され、マスク部と隔壁頂上との間に隙間ができることがないため、充填する粒子がマスク部下のセルに入り込むことがなくなり、エリア境界にあるセルにおける異なる色の粒子が混在することを防止できる。
【００２２】
＜本発明の情報表示用パネルの各部材について＞
以下、本発明の情報表示用パネルを構成する各部材について説明する。
前述した基板１、２としては、少なくとも一方の基板はパネル外側から表示媒体が確認できる透明基板であり、可視光の透過率が高くかつ耐熱性の良い材料が好適である。もう一方の基板となる背面基板は透明でも不透明でもかまわない。基板材料を例示すると、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフィン（ＰＥＳ）、アクリル等の有機高分子系基板や、ガラスシート、石英シート、金属シート等を用い、表示面側にはこのうち透明なものを用いる。基板の厚みは、２〜２０００μｍが好ましく、さらに５〜１０００μｍが好適であり、薄すぎると、強度、基板間の間隔均一性を保ち難くなり、２０００μｍより厚いと、薄型の表示部パネルとする場合に不都合がある。
【００２３】
必要に応じて設ける電極や導電部材の形成材料としては、アルミニウム、銀、ニッケル、銅、金等の金属類や酸化インジウム錫（ＩＴＯ）、酸化インジウム亜鉛（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法、金属箔（例えば圧延銅箔など）をラミネートする方法や、導電剤を溶媒や合成樹脂バインダーに混合して塗布してパターニング形成する方法が用いられる。視認側（表示面側）基板に設ける電極や導電部材は透明である必要があるが、背面側基板に設ける電極や導電部材は透明である必要がない。いずれの場合もパターン形成可能である導電性である上記材料を好適に用いることができる。なお、電極や導電部材の厚みは、導電性や光透過性を鑑みて決定され、０．０１〜１０μｍ、好ましくは０．０５〜５μｍである。背面側基板に設ける電極や導電部材の材質や厚みについては光透過性を鑑みる必要はない。
【００２４】
必要に応じて基板に設ける隔壁については、その形状は表示にかかわる表示媒体の種類や、配置する電極の形状、配置により適宜最適設定され、一概には限定されないが、通常の隔壁の幅は２〜１００μｍ、好ましくは３〜５０μｍに、隔壁の高さは１０〜５００μｍ、好ましくは１０〜２００μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も用いられる。
【００２５】
次に、本発明の情報表示用パネルに用いるカラー粒子が構成する表示媒体について説明する。表示媒体は、カラー粒子だけで構成したり、その他の粒子と合わせて構成したりして用いられる。カラー粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００２６】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００２７】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００２８】
着色剤としては、以下に例示するような、有機または無機の各種、各色の顔料、染料が使用可能である。
【００２９】
黒色着色剤としては、カーボンブラック、酸化銅、二酸化マンガン、アニリンブラック、活性炭等がある。青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３０】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３１】
体質顔料としては、バライト粉、炭酸バリウム、クレー、シリカ、ホワイトカーボン、
タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３２】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色のカラー粒子を作製できる。
【００３３】
また、カラー粒子（以下、粒子ともいう）は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３４】
さらに、表示媒体を構成する粒子（粒子群）の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、表示媒体を構成する粒子のサイズが揃い、均一な表示媒体としての移動が可能となる。
【００３５】
さらにまた、複数の粒子群を使用する場合には、使用した粒子群の内、最大の平均粒子径d(0.5)を示す粒子群のd(0.5)に対する、最小の平均粒子径d(0.5)を示す粒子群のd(0.5)の比を１０以下とすることが肝要である。たとえ粒子径分布Spanを小さくしたとしても、互いに特性の異なる粒子群が互いに反対方向に動くので、互いの粒子サイズが近い方が容易に移動できるようになるので好適であり、それがこの範囲となる。
【００３６】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。ここで、粒子径および粒子径分布は、体積基準分布から得られたものである。具体的には、Mastersizer2000(Malvern Instruments Ltd.)測定機を用いて、窒素気流中に粒子群を投入し、付属の解析ソフト（Mie理論を用いた体積基準分布を基本としたソフト）にて、粒子径および粒子径分布の測定を行うことができる。
【００３７】
さらに、表示媒体とする粒子群を気体中空間で駆動させる方式とする場合には、パネル基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）、図２（ａ）、（ｂ）において、対向する基板１、基板２に挟まれる部分から、電極５、６（電極を基板の内側に設けた場合）、表示媒体３の占有部分、隔壁４の占有部分、パネル基板間のシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるようにパネル基板間に封入することが必要であり、例えば、表示媒体の充填、パネルの組み立てなどを所定湿度環境下にて行い、さらに、外からの湿度侵入を防ぐシール剤、シール方法を施すことが肝要である。
【００３８】
本発明の対象とする情報表示用パネルの基板と基板との間隔は、表示媒体が駆動できて、コントラストを維持できればよいが、通常１０〜５００μｍ、好ましくは１０〜２００μｍに調整される。
情報表示用パネルを帯電粒子気体中空間移動方式とする場合は、基板と基板との間隔は１０〜１００μｍ、好ましくは１０〜５０μｍの範囲で調整される。さらに、基板間の気体中空間における表示媒体の体積占有率は５〜７０％が好ましく、さらに好ましくは５〜６０％である。７０％を超える場合には表示媒体としての粒子の移動に支障をきたし、５％未満の場合にはコントラストが不明確となり易い。
【産業上の利用可能性】
【００３９】
本発明の情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、リライタブルペーパー（外部電界形成手段を用いて書換えできる）としても好適に用いられる。
【００４０】
なお、上述した情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界を用いた外部電界駆動方式など、種々のタイプの駆動方式が適用できる。
【図面の簡単な説明】
【００４１】
【図１】（ａ）、（ｂ）は本発明の対象となる情報表示用パネルの原理的構成を説明するために示した図である。
【図２】（ａ）、（ｂ）は本発明の対象となる情報表示用パネルの他の原理的構成を説明するために示した図である。
【図３】本発明の情報表示用パネルの一例の構成を説明するための図である。
【図４】フォトリソグラフィ技術で境界部に位置する隔壁を予め幅広に形成する場合について示した図である。
【図５】カラー粒子を封入した後に境界部に位置するセルを充填材で埋込んで幅広の隔壁を形成する場合について示した図である。
【図６】表示エリアの境界に位置する境界部の隔壁と画素電極との関係を例示した図である。
【図７】（ａ）〜（ｄ）はそれぞれ従来の情報表示用パネルにおける粒子充填方法の一例を説明するための図である。
【図８】従来の情報表示用パネルにおける問題点を説明するための図である。
【符号の説明】
【００４２】
１、２                        基板
３Ｗ                          白色表示媒体  
３Ｗａ                        負帯電性白色粒子  
３Ｂ                          黒色表示媒体  
３Ｂａ                        正帯電性黒色粒子  
４                            隔壁  
４ＷＤ                        幅広の隔壁
５、６                        電極  
２１                          情報表示用パネル  
２２Ｗ                        白色粒子群  
２２Ｂ                        黒色粒子群  
２２Ｒ                        赤色粒子群  
２２ＲＷ                      赤白表示エリア  
２２ＢＷ                      黒白表示エリア  
２３                          境界部  
２３Ｗ                        幅  
【図１】
2010096912.tif 000003
【図２】
2010096912.tif 000004
【図３】
2010096912.tif 000005
【図４】
2010096912.tif 000006
【図５】
2010096912.tif 000007
【図６】
2010096912.tif 000008
【図７】
2010096912.tif 000009
【図８】
2010096912.tif 000010